(57)【要約】【課題】昼間、夜間、深夜などの周囲の明るさに応じて自動的にランプの光出力を変えることのできる照明装置を提供する。【解決手段】所定の検知エリア内の人を検知するセンサ部と、検知エリア内の少なくとも一部を照射範囲とする照明器具部と、照明器具部の周囲の照度を検出する照度検出部と、照度検出部により検出された検出照度が所定の照度を超えたときに所定の時間だけ点灯可能信号を出力する点灯判断タイマ部と、点灯判断タイマ部より点灯可能信号が出力されているときにセンサ部が検知対象の存在を検知すると照明器具部を所定の高光出力にて点灯させる点灯制御部を有する照明制御部と、を備えた照明装置において、照明制御部に、センサ部が人を検知したときの照度検出部の検出照度が所定の照度よりも低いときに、照明器具部を高光出力よりも低い低光出力にて点灯させる低光出力設定部を設けた。【選択図】　　　　図１
2004039301.tif 000002
【特許請求の範囲】
【請求項１】
所定の検知エリア内における検知対象の存在の有無を検知するセンサ部と、前記検知エリア内の少なくとも一部を照射範囲とする照明器具部と、この照明器具部の周囲の照度を検出する照度検出部と、照度検出部により検出された検出照度が所定の照度を超えたときに所定の時間だけ点灯可能信号を出力する点灯判断タイマ部と、点灯判断タイマ部より点灯可能信号が出力されているときに前記センサ部が検知対象の存在を検知すると照明器具部を所定の高光出力にて点灯させる点灯制御部を有する照明制御部と、を備えた照明装置において、前記照明制御部に、センサ部が検知対象の存在を検知したときの照度検出部の検出照度が所定の照度よりも低いときに、照明器具部を前記高光出力よりも低い低光出力にて点灯させる低光出力設定部を設けたことを特徴とする照明装置。
【請求項２】
前記高光出力及び／又は前記低光出力を複数レベル設けたことを特徴とする請求項１記載の照明装置。
【請求項３】
前記低光出力のうち最も低い光出力を検知対象の存在を検知したときの照度検出部の検出照度と略同一の光出力としたことを特徴とする請求項１又は請求項２記載の照明装置。
【請求項４】
前記低光出力設定部は、検知対象の存在を検知したときの照度検出部の検出照度と略同一の光出力にて照明器具部を点灯させた後、連続的もしくは段階的に、これ以上の光出力で照明器具部を点灯させ得ることを特徴とする請求項３記載の照明装置。
【請求項５】
前記低光出力設定部は、所定の照度より低い値で設けられた第２の所定の照度を有し、第２の所定の照度よりも検知対象の存在を検知したときの照度検出部の検出照度が低いときに照明器具部を低光出力にて点灯させ得ることを特徴とする請求項１乃至請求項４記載の照明装置。
【請求項６】
前記低光出力設定部は、検知対象の存在を検知する前の照度検出部の検出照度と、検知対象の存在を検知したときの照度検出部の検出照度との変化量が所定の変化量以下のときに照明器具部を低光出力にて点灯させ得ることを特徴とする請求項１乃至請求項４記載の照明装置。
【請求項７】
前記センサは、赤外線センサであって、前記照明制御部は、前記低光出力又は前記高光出力にて点灯させた照明器具部を所定の時間だけ点灯させる点灯保持タイマを有し、この点灯保持タイマのタイマ時間を高光出力にて点灯さる場合より低光出力にて点灯させる場合の方を長くしたことを特徴とする請求項１乃至６記載の照明装置。
【発明の詳細な説明】
【０００１】
【発明の属する技術分野】
本発明は、検知対象の存在の有無を検知するセンサ部と、光を検出する照度検出部を備えた照明装置に関する。
【０００２】
【従来の技術】
この種の照明装置として、特開平１１−２３３２７３に開示されたものがある。図１１はこれに開示された照明装置の構成を示したブロック図、図１２は外観図、図１３は周囲の明るさ（照度）とランプ出力の関係を示す動作状態図である。
【０００３】
この照明装置１０は、所定の検知エリア内における検知対象の存在の有無を検知するセンサ部１と、検知エリア内の少なくとも一部を照射範囲とする照明器具部２と、この照明器具部２の周囲の照度を検出する照度検出部３と、照度検出部３により検出された検出照度が所定の照度を超えたときに所定の時間Ｔ１だけ点灯可能信号を出力する点灯判断タイマ部４と、点灯判断タイマ部４より点灯可能信号が出力されているときにセンサ部１が検知対象の存在を検知すると照明器具部を所定の高光出力にて点灯させる点灯制御部５ｂとランプ２ａを点灯させた場合は所定の時間Ｔ２だけ照明器具部２を点灯させる点灯保持タイマ５ａを有した照明制御部５と、を備えて構成されている。
【０００４】
ここで、センサ部１は検知対象（以下、人と略称する。）より発する赤外線を焦電素子を用いて検出するセンサであり、人が存在する場合は、その検出信号を照明制御部５に出力している。また、照度検出部３は光をＣｄｓ素子を用いて検出するセンサであり、光の量に応じた検出信号を点灯判断タイマ部４と照明制御部５に出力している。また、照明器具部２は、ランプ２ａと、照明制御部５からの信号によりランプ２ａを点灯させるとともに調光点灯することができる点灯回路２ｂと、点灯回路２ｂや点灯判断タイマ部４や制御回路部５及びセンサ部１や照度検出部３を収納する器具本体２ｃと、カバー２ｄと、により構成されている。
【０００５】
このように構成された照明装置の動作を図１２を用いて説明する。ここでは、照明装置をトイレに用いた場合を例として説明しており、図において、ａ点〜ｂ点は昼間、ｂ点〜ｅ点は夕方から就寝前までの夜間（以下、夜間）、ｆ点は深夜、ｇ点〜ｉ点は夜明け〜昼間を示す。また、Ｔ１は点灯判断タイマ部４が所定のタイマ時間だけ点灯可能信号を出力する時間を示し、三角の波形が途中で終了しているのは、点灯可能信号のタイマがタイムアップするまでにセンサ部１が人を検知したことを示す。また、Ｔ２は照明制御部５に設けられた点灯保持タイマ５ａの点灯保持時間を示す。さらに、照度検出部３の検出照度を示す出力波形は説明をわかりやすくするために照明器具部２からの光を含めていない。また、点灯制御部５ｂで行われる、照度検出部３の検出照度と所定の照度とを比較した結果を照度判定出力として示している。
【０００６】
まず、昼間（ａ点）は、トイレ内に設置された小窓から外光が入り込み、明るいため、照度検出部３により検出された検出照度は予め設定された所定の照度より高くなる。よって、照度判定出力はＯＦＦとなる。また、点灯判断タイマ部４は、照度検出部３により検出された検出照度が所定の照度を超えたときに所定の時間Ｔ１だけ点灯可能信号を出力するが、この場合、夜明け頃に所定の照度を超えた後、常に所定の照度を超えているため、点灯可能信号はＯＦＦとなる。従って、センサ部１が人を検知して検知信号を出力しても、照度判定出力、点灯可能信号ともにＯＦＦであるため、点灯制御部５ｂは照明器具部２を点灯させない。
【０００７】
夕方になり、トイレ内の照度が所定の照度以下（ｂ点）になると、照度判定出力はＯＦＦからＯＮへ切り替る。この状態でトイレのドアを開けると（ｃ点）、例えば、廊下に設置された照明器具などの光がトイレ内に入り込み、照度検出部３により検出される検出照度は所定の照度より高くなる。このため照度判定出力は再びＯＦＦされる。一方、点灯判断タイマ部４は、照度検出部３の検出照度が所定の照度を超えるため、その超えたときより例えば１０秒間など、所定の時間Ｔ１だけ点灯可能信号を出力する。この状態で人がトイレ内に入ると、センサ部１は人を検知し信号を点灯制御部５ｂに出力する。（ｄ点）そして点灯可能信号が出力中にセンサ部１からの検知信号を受けた点灯制御部５ｂは照明器具部２のランプ２ａを点灯させる信号を出力する。そして照明器具部２は、この信号を受けて点灯回路２ｂを作動させランプ２ａを点灯させる。その後、人がトイレのドアを閉めると（ｅ点）、廊下に設置された照明器具などの光が入り込まなくなり、照度判定出力はＯＦＦからＯＮに切り替る。なお、ここでは動作説明上、ランプ２ａが点灯したときの自光を含めず図示しているが、自光を含めて図示したとすると、照度検出部３の検出照度は所定の照度より高いままとなり、照度判定出力はランプ２ａが消灯するまでＯＦＦのままとなる。
【０００８】
その後、この点灯状態は、点灯保持タイマ５ａにより所定の点灯保持時間Ｔ２だけ継続される。そして、この点灯保持時間Ｔ２内にセンサ部１が人を検知したときは、再度、点灯保持タイマ５ａを動作させるが、人を検知しなくなったときは点灯保持時間Ｔ２が経過した後に、点灯制御部５ｂは照明器具部２のランプ２ａを消灯させる。
【０００９】
次に、深夜（ｆ点を含む前後）になると、照度検出部３により検出された検出照度は、所定の照度より低くなり照度判定出力がＯＮ状態となる。この状態で人がトイレに行くため廊下に設置された照明器具を点灯させずにトイレのドアを開け（ｆ点）、トイレ内に入ったとする。このときセンサ部１は、人を検知し検知信号を出力する。さらに照度検出部３の検出照度は、廊下に設置された照明器具からの光がトイレ内に入り込まないため、所定の照度よりも低いままとなる。従って、照度判定出力はＯＮ状態のままとなる。そして点灯制御部５ｂは、照度判定出力がＯＮ状態のときにセンサ部１からの検知信号を受けると照明器具部２のランプ２ａを点灯させる信号を出力する。そして照明器具部２は、この信号を受けて点灯回路２ｂを作動させランプ２ａを点灯させる。その後、この点灯状態は点灯保持タイマ５ａにより所定の点灯保持時間Ｔ２だけ継続される。そして、この点灯保持時間Ｔ２内にセンサ部１が人を検知したときは、再度、点灯保持タイマ５ａを動作させるが、人を検知しなくなったときは点灯保持時間Ｔ２が経過した後に、点灯制御部５ｂは照明器具部２を消灯させる。
【００１０】
以上のように照明装置１０が動作することにより、人がトイレ内にいるときにだけランプ２ａが点灯し、トイレから出た後は、自動的にランプ２ａが消えることになる。またトイレ内が明るく照明が不要なときにはランプ２ａを点灯させない。従って、ランプ２ａの消し忘れや不要な点灯による電力の浪費を防ぐことができる。
【００１１】
【発明が解決しようとする課題】
ところが、この照明装置１０を取付けたトイレに入るのが、深夜であって、人が眠りから覚めた直後である場合、ランプ２ａは夕方から就寝前までの夜間に点灯したのと同じ明るさで点灯してしまう。従って、トイレ内が眩しく感じる場合があり、さらに、目に入った残光が刺激となり、その後、眠りにつきにくいこともある。
【００１２】
そこで、特開平９−２２３５８５に開示されているように、切替え手段を設け、夜間に人を検知した時にはランプ２ａはフル点灯（１００％点灯）させるが、人が眠った深夜に人を検知したときは眩しさを感じさせない程度にランプ２ａを調光点灯させるものが提案されている。しかし、このものは毎晩の切替え操作が必要である。
【００１３】
また、２４時間のスケジュールタイマを設け、前述の切替操作を自動的に行うものも提案されているが、そのスケジュールタイマは、マイコンやその他の制御回路で構成されるため、複雑であり、また停電時にメモリーをバックアップするための内蔵電池などの電源手段を別途設ける必要があり、高価なものとなってしまう。
【００１４】
本発明は、上記事由に鑑みてなしたもので、その目的とするところは、昼間、夜間、深夜などの周囲の明るさに応じて自動的にランプの光出力を変えることのできる照明装置を提供することにある。
【００１５】
【課題を解決するための手段】
請求項１に係る発明は、所定の検知エリア内における検知対象の存在の有無を検知するセンサ部と、前記検知エリア内の少なくとも一部を照射範囲とする照明器具部と、この照明器具部の周囲の照度を検出する照度検出部と、照度検出部により検出された検出照度が所定の照度を超えたときに所定の時間だけ点灯可能信号を出力する点灯判断タイマ部と、点灯判断タイマ部より点灯可能信号が出力されているときに前記センサ部が検知対象の存在を検知すると照明器具部を所定の高光出力にて点灯させる点灯制御部を有する照明制御部と、を備えた照明装置において、前記照明制御部に、センサ部が検知対象の存在を検知したときの照度検出部の検出照度が所定の照度よりも低いときに、照明器具部を前記高光出力よりも低い低光出力にて点灯させる低光出力設定部を設けたことを特徴とする。
【００１６】
請求項２に係る発明は、請求項１において、前記高光出力及び／又は前記低光出力を複数レベル設けたことを特徴とする。
【００１７】
請求項３に係る発明は、請求項１又は請求項２において、前記低光出力のうち最も低い光出力を検知対象の存在を検知したときの照度検出部の検出照度と略同一の光出力としたことを特徴とする。
【００１８】
請求項４に係る発明は、請求項３において、前記低光出力設定部は、検知対象の存在を検知したときの照度検出部の検出照度と略同一の光出力にて照明器具部を点灯させた後、連続的もしくは段階的に、これ以上の光出力で照明器具部を点灯させ得ることを特徴とする。
【００１９】
請求項５に係る発明は、請求項１乃至請求項４において、前記低光出力設定部は、所定の照度より低い値で設けられた第２の所定の照度を有し、第２の所定の照度よりも検知対象の存在を検知したときの照度検出部の検出照度が低いときに照明器具部を低光出力にて点灯させ得ることを特徴とする。
【００２０】
請求項６に係る発明は、請求項１乃至請求項４において、前記光出力設定部は、検知対象の存在を検知する前の照度検出部の検出照度と、検知対象の存在を検知したときの照度検出部の検出照度との変化量が所定の変化量以下のときに照明器具部を低光出力にて点灯させ得ることを特徴とする。
【００２１】
請求項７に係る発明は、請求項１乃至請求項６において、前記センサは、赤外線センサであって、前記照明制御部は、前記低光出力又は前記高光出力にて点灯させた照明器具部を所定の時間だけ点灯させる点灯保持タイマを有し、この点灯保持タイマのタイマ時間を高光出力にて点灯さる場合より低光出力にて点灯させる場合の方を長くしたことを特徴とする。
【００２２】
【発明の実施の形態】
（第１の実施の形態）
本発明の第１の実施の形態を図１〜図３を用いて説明する。図１は照明装置の構成を示したブロック図、図２は動作を示すタイミング図、図３は周囲の照度とランプ出力の関係を示す動作状態図である。
【００２３】
この照明装置は、所定の検知エリア内における検知対象（人）の存在の有無を検知するセンサ部１と、前記検知エリア内の少なくとも一部を照射範囲とする照明器具部２と、照明器具部２の周囲の照度を検出する照度検出部３と、照度検出部３により検出された検出照度が所定の照度を超えたときに所定の時間Ｔ１だけ点灯可能信号を出力する点灯判断タイマ部４と、点灯判断タイマ部４より点灯可能信号が出力されているときにセンサ部１が検知対象の存在を検知すると照明器具部を所定の高光出力にて点灯させる点灯制御部５ｂとランプ２ａを点灯させた場合は所定の時間Ｔ２だけ照明器具部２を点灯させる点灯保持タイマ５ａを有した照明制御部５と、を備えて構成されている。
【００２４】
照明器具部２は、ランプ２ａと、照明制御部５からの信号によりランプ２ａを点灯させるとともに調光点灯することができる点灯回路２ｂと、点灯回路２ｂや点灯判断タイマ部４や制御回路部５及びセンサ部１や照度検出部３を収納する器具本体２ｃと、カバー２ｄと、により構成されている。
【００２５】
センサ部１は、人より発する赤外線を焦電素子を用いて検出するセンサであり、人が存在する場合は、その検出信号を照明制御部５に出力している。また、照度検出部３は、光をＣｄｓ素子を用いて検出するセンサであり、光の量に応じた信号を照度検出信号として点灯判断タイマ部４と照明制御部５に出力している。点灯判断タイマ部４は、照度検出部３から出た照度検出信号を処理し点灯可能信号を照明制御部５に出力している。そして照明制御部５は、センサ部１と照度検出部３と点灯判断タイマ部４との出力信号を処理し照明器具部２が所定の高光出力で点灯するように制御信号を出力している。
【００２６】
ここで重要なことは、センサ部１が人を検知したときの照度検出部３の検出照度が所定の照度よりも低いときに、点灯制御部５ｂが出力する高光出力よりも低い低光出力にて照明器具部２を点灯させる低光出力設定部５ｃを照明制御部５に設けたことである。そして、高光出力を照明器具部２をフル点灯（１００％）させた値とし、低光出力を照明器具部２を調光点灯（１５％）させた値としたことである。
【００２７】
このように構成された照明装置の動作を図２を用いて説明する。ここでは、照明装置をトイレに用いた場合を例として説明しており、図において、ａ点〜ｂ点は昼間、ｂ点〜ｅ点は夕方から就寝前までの夜間（以下、夜間）、ｆ点は深夜、ｇ点〜ｉ点は夜明け〜昼間を示す。また、Ｔ１は点灯判断タイマ部４が所定のタイマ時間だけ点灯可能信号を出力する時間を示し、三角の波形が途中で終了しているのは、点灯可能信号のタイマがタイムアップするまでにセンサ部１が人を検知したことを示す。また、Ｔ２は照明制御部５に設けられた点灯保持タイマ５ａの点灯保持時間を示す。さらに、照度検出部３の検出照度を示す出力波形は説明をわかりやすくするために照明器具部２からの光を含めていない。また、点灯制御部５ｂで行われる、照度検出部３の検出照度と所定の照度とを比較した結果を照度判定出力として示している。
【００２８】
まず、昼間（ａ点）は、トイレ内に設置された小窓から外光が入り込み、明るいため、照度検出部３により検出された検出照度は予め設定された所定の照度より高くなる。よって、照度判定出力はＯＦＦとなる。また、点灯判断タイマ部４は、照度検出部３により検出された検出照度が所定の照度を超えたときに所定の時間Ｔ１だけ点灯可能信号を出力するが、この場合、夜明け頃に所定の照度を超えた後、常に所定の照度を超えているため、点灯可能信号はＯＦＦとなる。従って、センサ部１が人を検知して検知信号を出力しても、照度判定出力、点灯可能信号ともにＯＦＦであるため、照明制御部５は照明器具部２を点灯させない。
【００２９】
夕方になり、トイレ内の照度が所定の照度以下（ｂ点）になると、照度判定出力はＯＦＦからＯＮへ切り替る。この状態でトイレのドアを開けると（ｃ点）、例えば、廊下に設置された照明器具などの光がトイレ内に入り込み、照度検出部３により検出される検出照度は所定の照度より高くなる。このため照度判定出力は再びＯＦＦされる。一方、点灯判断タイマ部４は、照度検出部３の検出照度が所定の照度を超えるため、その超えたときより例えば１０秒間など、所定の時間Ｔ１だけ点灯可能信号を出力する。この状態で人がトイレ内に入ると、センサ部１は人を検知し信号を点灯制御部５ｂに出力する。この点灯可能信号が出力中にセンサ部１が人を検知した信号を出力すると（ｄ点）、点灯制御部５ｂは照明器具部２のランプ２ａをフル点灯（１００％点灯）させる信号を出力する。そして照明器具部２は、この信号を受けて点灯回路２ｂを作動させランプ２ａをフル点灯（１００％点灯）させる。その後、人がトイレのドアを閉めると（ｅ点）、廊下に設置された照明器具などの光が入り込まなくなり、照度判定出力はＯＦＦからＯＮに切り替る。
【００３０】
なお、ここでは動作説明上、ランプ２ａが点灯したときの自光を含めず図示しているが、自光を含めて図示したとすると、照度検出部３の検出照度は所定の照度より高いままとなり、照度判定出力はランプ２ａが消灯するまでＯＦＦのままとなる。そして、このことは以降の説明でも同じである。
【００３１】
その後、この点灯状態は、点灯保持タイマ５ａにより所定の点灯保持時間Ｔ２だけ継続される。そして、この点灯保持時間Ｔ２内にセンサ部１が人を検知したときは、再度、点灯保持タイマ５ａを動作させるが、人を検知しなくなったときは点灯保持時間Ｔ２が経過した後に、点灯制御部５ｂは照明器具部２のランプ２ａを消灯させる。
【００３２】
次に、深夜（ｆ点を含む前後）になると、照度検出部３により検出された検出照度は、所定の照度より低くなり照度判定出力がＯＮ状態となる。このときに人が眠りから覚め、廊下に設置された照明器具を点灯させずにトイレのドアを開け（ｆ点）、トイレ内に入ったとする。このときセンサ部１は、人を検知し検知信号を出力する。そして、照明制御部５の低光出力設定部５ｃは、この検知信号を受けて、照度検出部３により検出された検出照度を読み込み、所定の照度より高いか低いかを判断する。ここでは、廊下などに設置された照明器具からの外光はないため、検出照度は所定の照度より低くなるため、低光出力設定部５ｃは照明器具部２を１５％（調光点灯）の出力で点灯するように、信号を出力する。そして照明器具部２は、この信号を受けて点灯回路２ｂを作動させランプ２ａを調光点灯（１５％点灯）させる。
【００３３】
その後、この点灯状態は点灯保持タイマ５ａにより所定の点灯保持時間Ｔ２だけ継続される。そして、この点灯保持時間Ｔ２内にセンサ部１が人を検知したときは、再度、点灯保持タイマ５ａを動作させるが、人を検知しなくなったときは、点灯保持時間Ｔ２が経過後、低光出力設定部５ｃは照明器具部２を消灯させる。
【００３４】
最後に、明け方近くになり、トイレ内に設置された小窓から外光が入り込むと（ｇ点）、照度検出部３により検出された検出照度が予め設定された所定の照度より高くなり、照度判定出力はＯＮからＯＦＦへ切り替る。そして点灯判断タイマ部４は、照度検出部３により検出された検出照度が予め設定された所定の照度を超えるため、Ｔ１で示した所定の時間だけ点灯可能信号を出力する。そして、Ｔ１で示した所定の時間を経過した（ｈ点）後に、人を検知しても（ｉ点）、点灯可能信号はＯＦＦのため照明制御部５は照明器具部２を点灯させない。
【００３５】
この実施の形態によると、照明装置１０は、部屋に人が入る直前の部屋の明るさ（検出照度）や、その部屋に人が入ったときの部屋の明るさ（検出照度）を基にランプ２ａの光出力を決めているため、スケジュールタイマによりランプの光出力を時間管理をするのではなく、昼間、夜間、深夜などの周囲の明るさに応じて自動的にランプ２ａの光出力を変えることができる。従って、深夜、人が眠りから覚めた直後にトイレに入っても、ランプ２ａは、調光点灯（１５％点灯）するので、フル点灯（１００％）させたときに比べ、眩しく感じることが少なくなる。さらに、夜間と深夜での切替操作が不要であるため使い勝手が良くなり、価格もスケジュールタイマを搭載したものに比べ安価なものとなる。
【００３６】
なお、深夜において、人が眠りから覚めた直後の状態で、廊下に設置された照明器具を点灯させた場合は、トイレのドアを開ける際に光が入り込むため、図２中のｃ〜ｅ点と同様の動作となる。よって深夜であっても照明制御部５は照明器具部２をフル点灯（１００％点灯）させることになる。しかし、廊下に設置された照明器具の光によって、すでに人の目は明るい状況に慣れており、ランプ２ａをフル点灯（１００％点灯）させても、眩しく感じることは少ない。逆に、ランプ２ａを調光点灯（１５％点灯）すると、かえって暗いと感じることが多い。
【００３７】
なお、この実施の形態においては、調光点灯（１５％点灯）時間を点灯保持タイマ５ａによる所定の点灯保持時間Ｔ２とし、フル点灯（１００％点灯）させたときの点灯保持時間Ｔ２と同じとしていたが、点灯保持タイマ５ａに別途機能を加え、例えば、フル点灯（１００％点灯）させたときの点灯保持時間を１分、深夜に人体を検知し調光点灯（１５％点灯）させたときの点灯保持時間を３分と、調光点灯させた場合を長くしてもよい。
【００３８】
このように動作させた場合、深夜において人がトイレ内に居るにもかかわらず、ランプ２ａが消えることが少なくなる。特にセンサ部１が人体の発する熱の変化を感知する焦電型素子で構成される場合、人の動きがほとんどなくなると熱の変化を検知できない場合がある。従って、たとえトイレ内に人が居たとしても点灯保持時間Ｔ２の間に、人の動きがないとランプ２ａを消灯させる場合がある。そこで、点灯保持時間Ｔ２が終了する前に、ランプ２ａを減光させて人の動きを促すことが考えられるが、ここでは深夜においては、眩しさを感じさせないレベルで調光点灯させているので、さらにランプ２ａを減光して知らせる手段は適さない。従って、前述のように調光点灯（１５％点灯）させたときの点灯保持時間Ｔ２を長くすることで人がトイレ内に居るにも関わらずランプ２ａが消えてしまうことを少なくすることができる。なお、ここでは調光点灯（１５％点灯）での点灯保持時間Ｔ２を、３分として説明しているが、これ以上に長くしてさらに消えにくくしてもかまわない。
【００３９】
さらに、この調光点灯（１５％点灯）させたときの点灯保持時間については、フル点灯（１００％点灯）させたときの点灯保持時間と略同一の電力量となるように制御を行ってもよい。つまり、Ｗ（１００％）×フル点灯時の点灯保持時間＝Ｗ（調光）×調光点灯時の点灯保持時間とするものである。例えば
深夜時の調光点灯状態が１５％、フル点灯時の点灯保持時間が１分である場合、
調光時の点灯保持時間＝Ｗ（１００％）×６０秒÷Ｗ（１５％）＝４００秒
深夜時の調光点灯状態が３０％、フル点灯時の点灯保持時間が３０秒である場合
調光時の点灯保持時間＝Ｗ（１００％）×３０秒÷Ｗ（３０％）＝１００秒
としてもよい。
【００４０】
（第２の実施の形態）
本発明の第２の実施の形態を図４、図５を用いて説明する。図４は照明装置の動作を示すタイミング図、図５は周囲の照度とランプ出力の関係を示す動作状態図である。この照明装置は、第１の実施の形態における低光出力設定部５ｃの動作の仕方を変えたものである。従って、構成を示すブロック図は、図１と同じものとなる。なお、その他の第１の実施の形態と同一の構成部材には同一符号を付すことにより説明を省略する。
【００４１】
ここで重要なことは、低光出力設定部５ｃは、センサ部１が人を検知したとき、照度検出部３により検出された検出照度が所定の照度よりも低い場合、検出照度と略同一の照度レベルとなるよう照明器具部２を点灯させ得るようにしたことである。つまり、検出照度が低ければ照明器具部２の光出力を略この検出照度まで下げ、検出照度が高ければ照明器具部２の光出力を略この検出照度まで上げ得るようにしたことである。
【００４２】
このように構成された照明装置の動作を図４を用いて説明する。この図において、ａ点〜ｉ点、Ｔ１、Ｔ２などの符合や、照度検出部３の検出照度が照明器具部２からの光を含んでいないことや、照明制御部５で行われる照度判定出力の仕方、等は、第１の実施の形態と同様である。
【００４３】
まず、ａ点〜ｅ点までは、第１の実施の形態と同じである。従って、深夜の動作から説明する。深夜になると照度検出部３により検出された検出照度は、所定の照度より低くなり照度判定出力がＯＮ状態となる。このとき人が眠りから覚め、廊下に設置された照明器具を点灯させずにトイレのドアを開け（ｆ点）、トイレ内に入ったとする。このときセンサ部１は、人を検知し検知信号を出力する。そして低光出力設定部５ｃは、この検知信号を受けて、照度検出部３により検出された検出照度を読み込み、所定の照度より高いか低いかを判断する。ここでは、廊下などに設置された照明器具からの外光はないため、検出照度は所定の照度より低くなるため、低光出力設定部５ｃは照度検出部３の検出照度と略同一の照度が得られるように、照明器具部２を制御する。以降の動作については、第１の実施の形態に示したものと同様であるため、説明を省略する。
【００４４】
この実施の形態によると、センサ部１が人を検知したときの検出照度、つまり人がトイレに入りドアを閉める前のトイレ内の照度と略同一の照度で照明器具部２は点灯を開始するため、第１の実施の形態に比べ、さらに眩しさを少なくすることができる。
【００４５】
なお、図６は、本発明の第２の実施の形態の応用例で、照明装置の動作を示すタイミング図を示す。この応用例は、低光出力設定部５ｃの深夜における動作の仕方を変えたものである。つまり、センサ部１が人を検知したとき、照度検出部３により検出された検出照度が所定の照度よりも低い場合は、低光出力設定部５ｃは検出照度と略同一の照度レベルとなるよう照明器具部２を点灯させるが、その後、この照度から連続的もしくは段階的に光出力を所望の照度（ここでは、１５％の調光点灯）にまで上げて点灯させ得るようにしている。なお、この場合においても構成を示すブロック図は、図１と同じものとなる。
【００４６】
この応用例によると、センサ部１が人を検知したときの検出照度、つまり人がトイレに入りドアを閉める前のトイレ内の照度と略同一の照度で照明器具部２は点灯を開始するため、第１の実施の形態に比べ、さらに目への刺激を少なくすることができる。また、その後連続的に２０％の調光点灯まで光出力を上げているため、極力、眩しさを感じないで所望の照度を得ることができる。
【００４７】
（第３の実施の形態）
本発明の第３の実施の形態を図７、図８を用いて説明する。図７は照明装置の動作を示すタイミング図、図８は周囲の照度とランプ出力の関係を示す動作状態図である。この照明装置は、第１の実施の形態における低光出力設定部５ｃの動作の仕方を変えたものである。従って、構成を示すブロック図は、図１と同じものとなる。なお、その他の第１の実施の形態と同一の構成部材には同一符号を付すことにより説明を省略する。
【００４８】
ここで重要なことは、低光出力設定部５ｃは、センサ部１が人を検知したとき、照度検出部３により検出された検出照度を所定の照度と比較するが、このとき所定の照度よりも低い第２の所定の照度を設けたことである。そして、これら２つの所定の照度と検出照度とを比較し、その結果、検出照度が第２の所定の照度よりも低ければ、低光出力設定部５ｃは、照明器具部２を低光出力にて点灯させ、第２の所定の照度よりも高ければ、照明器具部２をこれよりは高い光出力にて点灯させ得るようにしたことである。そして、具体的には、所定の照度を３０ルクスに第２の所定の照度を１０ルクスに設定している。
【００４９】
このように構成された照明装置の動作を図７を用いて説明する。ここでも照明装置をトイレに用いた場合を例として説明している。ここではａ点〜ｅ点は夕方から就寝前までの夜間、ｆ点は深夜、ｇ点〜ｉ点は夜明け〜昼間を示している。なお、Ｔ１、Ｔ２などの符合や、照度検出部３の検出照度が照明器具部２からの光を含んでいないことや、照明制御部５で行われる照度判定出力の仕方、等は、第１の実施の形態と同様である。
【００５０】
まず、夕方になり、照度検出部３の検出照度つまりトイレ内の照度が所定の照度３０ルクス以下になった場合を説明する。このときにトイレのドアを開けると（ａ点）、廊下に設置された照明器具の光がトイレ内に入り、トイレ内の照度は所定の照度３０ルクスより高くなる。従って、照明制御部５の照度判定出力はＯＮからＯＦＦへ切り替る。一方、点灯判断タイマ部４は、照度検出部３により検出された検出照度が所定の照度３０ルクスを超えるため、その超えたときより例えば１０秒間など、所定の時間Ｔ１だけ点灯可能信号を出力する。そして、この点灯可能信号が出力中にセンサ部１が人を検知した信号を出力すると（ｂ点）、点灯制御部５ｂは照明器具部２のランプ２ａをフル点灯（１００％）させる信号を出力する。そして照明器具部２は、この信号を受けて点灯回路２ｂを作動させランプ２ａをフル点灯（１００％点灯）させる。なお、低光出力設定部５ｃも人を検知した時点（ｂ点）の照度検出部３の検出照度を読み込むが所定の照度３０ルクスより高いため動作はしない。その後、人がトイレのドアを閉めると（ｃ点）、廊下に設置された照明器具などの光が入り込まなくなり、照度判定出力はＯＦＦからＯＮに切り替るっている。
【００５１】
なお、ここでは動作説明上、ランプ２ａが点灯したときの自光を含めず図示しているが、自光を含めて図示したとすると、照度検出部３の検出照度は所定の照度３０ルクスより高いままとなり、照度判定出力はランプ２ａが消灯するまでＯＦＦのままとなる。そして、このことは以降の説明でも同じである。
【００５２】
その後、この点灯状態は、点灯保持タイマ５ａにより所定の点灯保持時間Ｔ２だけ継続される。そして、この点灯保持時間Ｔ２内にセンサ部１が人を検知したときは、再度、点灯保持タイマ５ａを動作させるが、人を検知しなくなったときは、点灯保持時間Ｔ２が経過した後に、点灯制御部５ｂは照明器具部２のランプ２ａを消灯させる。
【００５３】
次に、夜間において、トイレのドアを開けたときに、トイレに通じる廊下の照明器具は消灯しており、例えば、台所などトイレから少し離れた場所で点灯している照明器具の光がトイレ内に入り込んだ場合を説明する。このような状況で人がトイレのドアを開けると（ｄ点）照度検出部３の検出照度つまりトイレ内の照度が所定の照度３０ルクスより低いため、照明制御部５の照度判定出力はＯＮのままとなる。また、点灯判断タイマ部４も照度検出部３により検出された検出照度が所定の照度３０ルクスより低いためＯＦＦのままとなる。次に、人がトイレの中に入り込み、センサ部１が人を検知し、検知信号を照明制御部５に出力すると、照明制御部５の低光出力設定部５ｃは、人を検知した時点（ｅ点）の照度検出部３の検出照度を読み込む。そして、所定の照度３０ルクスより高いか低いか、さらには第２の所定の照度１０ルクスより高いか低いかを判断する。ここでは、所定の照度３０ルクスよりは低く、第２の所定の照度１０ルクスよりは、高いため低光出力設定部５ｃは、ランプ２ａを調光点灯（８０％点灯）させる信号を出力する。そして照明器具部２は、この信号を受けて点灯回路２ｂを作動させランプ２ａを調光点灯（８０％点灯）させる。以下、ランプ２ａが消灯するまでの動作は、前述したものと同様の動作となる。
【００５４】
次に深夜において、廊下に設置された照明器具を点灯させずにトイレのドアを開けた場合（ｆ点）を説明する。この場合、人がドアを開けると、トイレには外光が入り込まないため、照度検出部３により検出された検出照度は、所定の照度３０ルクスより低く照度判定出力はＯＮ状態のままである。このときセンサ部１が人を検知し、照明制御部５は、この検知信号を受けて、照度検出部３により検出された検出照度を読み込み、所定の照度３０ルクスより高いか低いか、さらには第２の所定照度１０ルクスより高いか低いかを判断する。ここでは第２の所定照度１０ルクスより低いため、低光出力設定部５ｃは、ランプ２ａを調光点灯（１５％点灯）させる信号を出力する。そして照明器具部２は、この信号を受けて点灯回路２ｂを作動させランプ２ａを調光点灯（１５％点灯）させる。以下、ランプ２ａが消灯するまでの動作は、前述したものと同様の動作となる。
【００５５】
また、ｇ点〜ｉ点の動作は、第１の実施の形態に示したものと同様であるため、説明を省略する。
【００５６】
この実施の形態によると、照明装置１０は、部屋に人が入る直前の部屋の明るさ（検出照度）や、その部屋に人が入ったときの部屋の明るさ（検出照度）を基にランプ２ａの光出力を決めているため、スケジュールタイマによりランプの光出力を時間管理をするのではなく、昼間、夜間、深夜などの周囲の明るさに応じて自動的にランプ２ａの光出力を変えることができる。従って、深夜、人が眠りから覚めた直後にトイレに入っても、ランプ２ａは、調光点灯（１５％点灯）するので、フル点灯（１００％）させたときに比べ、眩しく感じることが少なくなる。さらに、夜間と深夜での切替操作が不要であるため使い勝手が良くなり、価格もスケジュールタイマを搭載したものに比べ安価なものとなる。
【００５７】
さらに、ランプ２ａを点灯させるか否かについてトイレ以外に設置された照明器具から入り込む外光の状態に応じた細かな設定ができる。従って、例えば台所の照明器具は点灯しているが、台所とトイレの間にある廊下の照明器具は点灯させないような状態でトイレに入った場合などにおいてもランプ２ａを点灯させることができる。
【００５８】
なお、ここでは、トイレに入る前の廊下の明るさが暗いため、トイレ内の光出力もフル点灯（１００％点灯）させるのではなく、少しく暗くした８０％で点灯させている。また、第２の所定の照度については、この実施の形態では、１０ルクスとして説明したが、台所などの少し離れた照明器具からトイレに入り込む外光の大きさに応じて設定するばよい。つまり、外光が大きければ第２の所定の照度を１５ルクスなど少し大きくし、逆に、少なければ第２の所定の照度を５ルクスなど小さくするばよい。
【００５９】
（第４の実施の形態）
本発明の第４実施の形態を図９、図１０を用いて説明する。図９は照明装置の動作を示すタイミング図、図１０は周囲の照度とランプ出力の関係を示す動作状態図である。この照明装置は、第１の実施の形態における低光出力設定部５ｃの動作の仕方を変えたものである。従って、構成を示すブロック図は、図１と同じものとなる。なお、その他の第１の実施の形態と同一の構成部材には同一符号を付すことにより説明を省略する。
【００６０】
ここで重要なことは、光出力設定部５ｃは、センサ部１が人を検知する前の照度検出部３により検出された検出照度と、人を検知したときの照度検出部３の検出照度とを比較し、その変化量が所定の変化量以下のときに照明器具部２を低光出力にて点灯させ得るようにしたことである。そして、具体的には、所定の変化量を５ルクスに設定している。
【００６１】
このように構成された照明装置の動作を図９を用いて説明する。ここでも照明装置をトイレに用いた場合を例として説明しており、図において、ａ点〜ｅ点は夕方から就寝前までの夜間、ｆ点〜ｇ点は深夜、ｈ点〜ｊ点は夜明け〜昼間を示す。なお、Ｔ１、Ｔ２などの符合や、照度検出部３の検出照度が照明器具部２からの光を含んでいないことや、照明制御部５で行われる照度判定出力の仕方、等は、第１の実施の形態と同様である。
【００６２】
まず、ａ点〜ｃ点までは、第３の実施の形態と同じである。次に、夜間において、トイレのドアを開けたときに、トイレに通じる廊下の照明器具は消灯しており、例えば、台所などトイレから少し離れた場所で点灯している照明器具の光がトイレ内に入り込んだ場合を説明する。このような状況で人がトイレのドアを開けると（ｄ点）照度検出部３の検出照度つまりトイレ内の照度が所定の照度より低いため、照明制御部５の照度判定出力はＯＮのままとなる。また、点灯判断タイマ部４も照度検出部３により検出された検出照度が所定の照度より低いためＯＦＦのままとなる。次に人がトイレの中に入り、センサ部１が人を検知し、検知信号を、照明制御部５に出力すると、照明制御部５は、人を検知した時点（ｅ点）の照度検出部３の検出照度を読み込む。そして、人を検知する前（例えば１０秒前）の照度検出部３の検出照度とを比較し、その変化量（差分Δ）を見る。ここでは、ΔＸ１で示したように、その変化量は所定の変化量５ルクス以上であるため、照明制御部５の点灯制御部５ｂがランプ２ａをフル点灯（１００％点灯）させる信号を出力する。そして照明器具部２は、この信号を受けて点灯回路２ｂを作動させランプ２ａをフル点灯（１００％点灯）させる。以下、ランプ２ａが消灯するまでの動作は、前述したものと同様の動作となる。
【００６３】
次に深夜において、廊下に設置された照明器具を点灯させずにトイレのドアを開けた場合（ｆ点）を説明する。この場合、人がドアを開けると、トイレには外光が入り込まないため、照度検出部３により検出された検出照度は、所定の照度より低く照度判定出力はＯＮ状態のままである。このときセンサ部１が人を検知し、照明制御部５は、この検知信号を受けて、照度検出部３により検出された検出照度を読み込み、人を検知する前（例えば１０秒前）の照度検出部３の検出照度とを比較し、その変化量（差分Δ）を見る。ここでは、ΔＸ２で示したように、その変化量が５ルクスであるため、照明制御部５の低光出力設定部５ｃは、ランプ２ａを調光点灯（１５％点灯）させる信号を出力する。そして照明器具部２は、この信号を受けて点灯回路２ｂを作動させランプ２ａを調光点灯（１５％点灯）させる。以下、ランプ２ａが消灯するまでの動作は、前述したものと同様の動作となる。
【００６４】
また、ｈ点〜ｊ点の動作は、第１の実施の形態に示したものと同様であるため、説明を省略する。
【００６５】
この実施の形態によると、照明装置１０は、部屋に人が入る直前の部屋の明るさ（検出照度）や、その部屋に人が入ったときの部屋の明るさ（検出照度）を基にランプ２ａの光出力を決めているため、スケジュールタイマによりランプの光出力を時間管理をするのではなく、昼間、夜間、深夜などの周囲の明るさに応じて自動的にランプ２ａの光出力を変えることができる。また、ランプ２ａを点灯させるか否かについてトイレ以外に設置された照明器具から入り込む外光の状態に応じた細かな設定ができる。従って、例えば台所の照明器具は点灯しているが、台所とトイレの間にある廊下の照明器具は点灯させないような状態でトイレに入った場合などにおいてもランプ２ａを点灯させることができる。
【００６６】
なお、所定の変化量を５ルクスとして説明したが、台所などの少し離れた照明器具からトイレに入り込む外光の大きさに応じて設定するばよい。
【００６７】
【発明の効果】
請求項１記載の発明にあっては、所定の検知エリア内における検知対象の存在の有無を検知するセンサ部と、前記検知エリア内の少なくとも一部を照射範囲とする照明器具部と、この照明器具部の周囲の照度を検出する照度検出部と、照度検出部により検出された検出照度が所定の照度を超えたときに所定の時間だけ点灯可能信号を出力する点灯判断タイマ部と、点灯判断タイマ部より点灯可能信号が出力されているときに前記センサ部が検知対象の存在を検知すると照明器具部を所定の高光出力にて点灯させる点灯制御部を有する照明制御部と、を備えた照明装置において、前記照明制御部に、センサ部が検知対象の存在を検知したときの照度検出部の検出照度が所定の照度よりも低いときに、照明器具部を前記高光出力よりも低い低光出力にて点灯させる低光出力設定部を設けたことにより、照明装置の取付けられた部屋に検知対象が入ったときの部屋の明るさ（検出照度）や、その部屋に検知対象が入る直前の部屋の明るさ（検出照度）を基にランプの光出力が変わるため、昼間、夜間、深夜などの周囲の明るさに応じて自動的にランプの光出力を変えることができる。
【００６８】
請求項２記載の発明にあっては、前記高光出力及び／又は前記低光出力を複数レベル設けたことにより、請求項１に記載の効果を奏する上に、より細かくランプの明るさを設定できる。
【００６９】
請求項３記載の発明にあっては、前記低光出力のうち最も低い光出力を検知対象の存在を検知したときの照度検出部の検出照度と略同一の光出力としたことにより、センサ部が検知対象の存在を検知したときの検出照度と略同一の照度で照明器具部が点灯を開始するため、請求項１又は請求項２に記載の効果を奏する上に、さらに眩しさを少なくすることができる。
【００７０】
請求項４記載の発明にあっては、前記低光出力設定部は、検知対象の存在を検知したときの照度検出部の検出照度と略同一の光出力にて照明器具部を点灯させた後、連続的もしくは段階的に、これ以上の光出力で照明器具部を点灯させ得るものにしたことにより、所望の明るさまで連続的に光出力を上げることができるため、極力、眩しさを感じないで所望の照度を得ることができる。
【００７１】
請求項５記載の発明にあっては、前記低光出力設定部は、所定の照度より低い値で設けられた第２の所定の照度を有し、第２の所定の照度よりも検知対象の存在を検知したときの照度検出部の検出照度が低いときに照明器具部を低光出力にて点灯させ得るものにしたことにより、請求項１乃至４に記載の効果を奏するうえに、ランプを点灯させるか否かについてトイレ以外に設置された照明器具から入り込む外光の光量に応じた設定ができる。
【００７２】
請求項６記載の発明にあっては、前記光出力設定部は、検知対象の存在を検知する前の照度検出部の検出照度と、検知対象の存在を検知したときの照度検出部の検出照度との変化量が所定の変化量以下のときに照明器具部を低光出力にて点灯させ得るものにしたことにより、請求項１乃至４に記載の効果を奏するうえに、ランプを点灯させるか否かについてトイレ以外に設置された照明器具から入り込む外光の変化量に応じた設定ができる。
【００７３】
請求項７記載の発明にあっては、前記センサは、赤外線センサであって、前記照明制御部は、前記低光出力又は前記高光出力にて点灯させた照明器具部を所定の時間だけ点灯させる点灯保持タイマを有し、この点灯保持タイマのタイマ時間を高光出力にて点灯さる場合より低光出力にて点灯させる場合の方を長くしたことにより、請求項１乃至６に記載の効果を奏するうえに、人が居るにも関わらず、ランプが消えることが少なくなる。
【図面の簡単な説明】
【図１】本発明の第１の実施の形態に係る照明装置の構成を示したブロック図である。
【図２】同上の照明装置の動作を示すタイミング図である。
【図３】同上の照明装置の検出照度とランプ出力の関係を示す動作状態図である。
【図４】本発明の第２の実施の形態に係る照明装置の動作を示すタイミング図である。
【図５】同上の照明装置の検出照度とランプ出力の関係を示す動作状態図である。
【図６】同上の照明装置の応用例の動作を示すタイミング図である。
【図７】本発明の第３の実施の形態に係る照明装置の動作を示すタイミング図である。
【図８】同上の照明装置の検出照度とランプ出力の関係を示す動作状態図である。
【図９】本発明の第４の実施の形態に係る照明装置の動作を示すタイミング図である。
【図１０】同上の照明装置の検出照度とランプ出力の関係を示す動作状態図である。
【図１１】従来例に係る照明装置の構成を示したブロック図である。
【図１２】同上の照明装置の外観図である。
【図１３】同上照明装置の検出照度とランプ出力の関係を示す動作状態図である。
【符号の説明】
１　　　センサ部
２　　　照明器具部
３　　　照度検出部
４　　　点灯判断タイマ部
５　　　照明制御部
５ａ　　点灯保持タイマ
５ｂ　　点灯制御部
５ｃ　　低光出力設定部
１０　　照明装置
Ｔ２　　点灯保持時間
【図１】
2004039301.tif 000003
【図２】
2004039301.tif 000004
【図３】
2004039301.tif 000005
【図４】
2004039301.tif 000006
【図５】
2004039301.tif 000007
【図６】
2004039301.tif 000008
【図７】
2004039301.tif 000009
【図８】
2004039301.tif 000010
【図９】
2004039301.tif 000011
【図１０】
2004039301.tif 000012
【図１１】
2004039301.tif 000013
【図１２】
2004039301.tif 000014
【図１３】
2004039301.tif 000015